(57)【要約】【課題】フルオープンキッチン，セミオーブンキッチン及びクローズキッチンの各タイプに変更可能なキッチン構造を提供する。【解決手段】システムキッチンを収納したキッチンの構造であって、ダイニング７に対面して配置した流し台１３の正面上方に、当該流し台１３の正面と前記ダイニングとを仕切り自在の仕切り部材２９を備えると共に、前記流し台１３の側面側に、前記キッチンとダイニング７とを仕切り可能なパネル４９Ａ，４Ｂを備えており、前記パネル４９Ａ，４９Ｂを所定位置に固定自在に備えている。また、前記流し台１３の前側に備えた腰壁部２１に、折り畳み自在なテーブル３３を備えている。【選択図】図５
2005253766.tif 000002
【特許請求の範囲】
【請求項１】
システムキッチンを収納したキッチンの構造であって、ダイニングに対面して配置した流し台の正面上方に、当該流し台の正面と前記ダイニングとを仕切り自在の仕切り部材を備えると共に、前記流し台の側面側に、前記キッチンとダイニングとを仕切り可能なパネルを備えていることを特徴とするキッチン構造。
【請求項２】
請求項１に記載のキッチン構造において、前記パネルを所定位置に固定自在に備えていることを特徴とするキッチン構造。
【請求項３】
請求項１又は２に記載のキッチン構造において、前記流し台の前側に備えた腰壁部に、折り畳み自在なテーブルを備えていることを特徴とするキッチン構造。
【発明の詳細な説明】
【技術分野】
【０００１】
本発明は、例えば流し台，調理台などの台所設備をユニット化したシステムキッチンを備えたキッチンの構造に係り、さらに詳細には、フルオープンキッチン，セミオーブンキッチン及びクローズキッチンに容易に変更可能なキッチン構造に関する。
【背景技術】
【０００２】
従来、例えばマンション等のごとき集合住宅や新築した家のキッチンは、例えば流し台の前面及び側面がリビング・ダイニングに開放されたフルオープンキッチンの構造である場合には、例えば対面型のセミオーブンキッチンや独立型のクローズキッチンに変更する場合には改装しなければならないものであった。また上述の逆の場合も同様である。
【発明の開示】
【発明が解決しようとする課題】
【０００３】
そこで、例えばリビング・ダイニングに居る子供と対話しながら調理をするなど、通常においてはフルオープンキッチン又はセミオーブンキッチンとして使用し、来客時にはキッチンを隠しておくクローズキッチンに容易に変更可能であるなど、生活様式に応じて種々のタイプのキッチンに変更可能なキッチンが望まれている。
【課題を解決するための手段】
【０００４】
本発明は前述のごとき問題に鑑みてなされたもので、システムキッチンを収納したキッチンの構造であって、ダイニングに対面して配置した流し台の正面上方に、当該流し台の正面と前記ダイニングとを仕切り自在の仕切り部材を備えると共に、前記流し台の側面側に、前記キッチンとダイニングとを仕切り可能なパネルを備えていることを特徴とするものである。
【０００５】
また、本発明は、上記キッチン構造において、前記パネルを所定位置に固定自在に備えていることを特徴とするものである。
【０００６】
また、本発明は、上記キッチン構造において、前記流し台の前側に備えた腰壁部に、折り畳み自在なテーブルを備えていることを特徴とするものである。
【発明の効果】
【０００７】
本発明によれば、流し台のダイニングに面した側の上部空間は、仕切り部材によって仕切り自在であって全閉状態，半開状態及び全開状態の各種状態に調節可能である。また、前記流し台のダイニングに面した側面側は、パネルを全閉状態，半開状態及び全開状態に調整自在である。したがって、前記仕切り部材の開閉状態とパネルの開閉状態とを適宜に組み合わせてキッチンを使用することができるものであり、キッチンを、フルオープンキッチン，セミオーブンキッチン及びクローズキッチンの各種態様で使用することができるものである。
【発明を実施するための最良の形態】
【０００８】
図１を参照するに、本発明の第１の実施形態に係るキッチン１は、互いに直交する第１の壁３と第２の壁５によって二方向を閉じられている。そして、前記第１の壁３には、前記第２の壁５から適宜に離れた位置でリビング・ダイニング（以下、総称してダイニングと称す）７側へ直角に突出した第１の仕切壁９が設けてあり、第２の壁５には、同様にダイニング７側へ直角に突出した第２の仕切壁１１が設けてある。
【０００９】
既に理解されるように、キッチン１は、前記第１，第２の壁３，５及び第１，２の仕切壁９，１１並びに前記第１，２の仕切壁９，１１を延長した場合の延長部によって囲繞された領域に四角形に構成されている。前記キッチン１内には、流し台１３，調理台１５及び載置台１７をＵ字形状に配置したシステムキッチンが収納配置されており、前記載置台１７と第２の仕切壁１１との間には冷蔵庫１９が配置してある。
【００１０】
なお、流し台１３の上方には、一般には吊戸棚が配置してあるが、本実施形態においては吊戸棚を省略してダイニング７との一体的空間として自由度を確保している。
【００１１】
前記流し台１３の正面側１３Ａとこの正面側１３Ａに隣接し直交する側面側１３Ｂはそれぞれ前記ダイニング７に対面してあり、前記流し台１３の正面側１３Ａには腰壁部２１が設けてある。そして、前記調理台１５の上方位置にはレンジフード２３（図４参照）が配置してあると共に、前記載置台１７の上方位置には棚２５が配置してある。
【００１２】
前記流し台１３の正面上方の天井２７（図２参照）には、この天井２７と前記腰壁部２１との間の空間すなわち開放部（開口部）を開閉自在（仕切り自在）な仕切り部材２９が設けてある。より詳細には、前記仕切り部材２９は、例えば、前記天井２７に取付けたケーシング３１に巻き戻し可能なロールカーテン等よりなるものである。なお、上記仕切り部材２９は、ロールカーテンに限ることなくブラインドとすることも可能である。
【００１３】
上記構成により、前記天井２７と腰壁部２１との間の空間を、前記仕切り部材２９によって全開状態，半開状態あるいは全閉状態に開閉状態を調節することができる。すなわち、前記流し台１３の前側を、ダイニング７に対して全開状態，半開状態，全閉状態の各種の状態に調節することができるものである。
【００１４】
さらに、前記流し台１３の前側の前記腰壁部２１にはテーブル３３が折り畳み自在に設けてある。より詳細には、前記腰壁部２１の上部にはテーブル３３の後部がヒンジピン３５を介して上下に回動可能に枢着してあり、このテーブル３３の前端部にピン３７を介して一端部を枢着した第１リンク３９の他端部は、ピン４１を介して前記腰壁部２１の下側に一端部を枢着した第２リンク４３の他端部とピン４５を介して枢支連結してある。そして、前記第１，第２リンク３９，４３の適宜一方には、第１，第２のリンク３９，４３の枢支連結部が外側へ屈曲することを規制するストッパ４７が設けてある。
【００１５】
上記構成により、図２に示すように、テーブル３３をほぼ水平状態に保持することができると共に、第１，第２のリンク３９，４３を内側へ折り畳むことにより、テーブル３３をほぼ垂直な状態に折り畳むことができるものである。したがって、キッチン１とダイニング７との間において、例えば食器等の出し入れを行うとき、前記テーブル３３を一時載置台として使用することができる。
【００１６】
そして、テーブル３３の非使用時にはほぼ垂直状に折り畳むことができるので、例えば幼児等がぶつかることを防止できると共にダイニング７を広く使用することができるものである。
【００１７】
ところで、前記テーブル３３を水平状に保持する構成として、前記説明においては、第１，第２のリンク３９，４３よりなる折り畳み自在のリンク機構を採用した場合について例示したが、テーブル３３を水平に保持する構成としては、前記リンク機構に代えて、テーブル３３に対して折り畳み自在な脚部材を備え、この脚部材によってテーブル３３を水平状に支持する構成とすることもできる。すなわち、テーブル３３を、水平状態と垂直状態とに折り畳み自在に設けて、テーブル３３を水平状に支持する構成としては種々の構成を採用することができるものである。
【００１８】
前記流し台１３の側面側，換言すればキッチン１への出入口４８側の開閉状態を調節可能にするために、天井２７には、前記第２の仕切壁１１の内側部分（キッチン側部分）から前記流し台１３の側面上部に至る２本のレール（図示省略）が設けてあり、このレールには、前記キッチン１とダイニング７とを仕切り自在の第１，２のパネル４９Ａ，４９Ｂが移動自在に吊り下げてある。
【００１９】
上記第１，２のパネル４９Ａ，４９Ｂは、図４に示すように、第２の仕切壁１１と冷蔵庫１９との間、すなわち第２の仕切壁１１の影の部分に格納可能であると共に、第１のパネル４９Ａは、図１，図５に示すように、前記流し台１３の側面に対応した位置に位置決め可能に設けてある。また、第２のパネル４９Ｂは、図６に示すように、キッチン１の出入口４８を閉じるように位置決め可能である。
【００２０】
前記第１，第２のパネル４９Ａ，４９Ｂを、前記第２の仕切壁１１と冷蔵庫１９との間及び流し台１３の側面に対応した位置，出入口４８を閉じる位置に固定するために、ロック装置が設けられている。すなわち、例えば、図３に示すように、床５１に磁石５３を備え、かつ第１，第２のパネル４９Ａ，４９Ｂにスプリング等の弾性部材５５に支持された磁石５７を上下動可能に備えた構成とすることができる。
【００２１】
上記構成により、天井２７に設けたレールに沿って第１，第２のパネル４９Ａ，４９Ｂを移動し、上記第１，第２のパネル４９Ａ，４９Ｂに備えた磁石５７と床５１に備えた磁石５３とが対応して磁着することにより、第１，第２のパネル４９Ａ，４９Ｂの固定を行うことができるものである。そして、前記磁石５３，５７による磁着を解除するように第１，第２のパネル４９Ａ，４９Ｂを強く押すことにより、第１，第２のパネル４９Ａ，４９Ｂの移動を行うことができるものである。
【００２２】
ところで、磁石を利用したロック装置としては、相対的なこととして、床５１に設けた磁石５３を上下動する構成として、パネル側の磁石を固定することも可能である。さらには、磁石を床又はパネル側の一方に備え、他方に磁性体を備えた構成としても良いものである。すなわち、ロック装置としては種々の構成を採用することができるものである。
【００２３】
以上のごとき説明より理解されるように、仕切り部材２９をケーシング３１内に巻き込み、かつ第１，第２のパネル４９Ａ，４９Ｂを第２の仕切壁１１と冷蔵庫１９との間に格納することにより、図４に示すようにフルオープンキッチン（半島型）とすることができる。そして、前記仕切り部材２９を約１／２程度引き出し、かつ第１のパネル４９Ａを流し台１３の側面側に位置決めすることにより、図５に示すように、セミオーブンキッチン（対面型）とすることができる。さらに、前記仕切り部材２９を引き出して前記腰壁部２１の上方空間を閉じると共に、第２のパネル４９Ｂによってキッチンの出入口４８を閉じることにより、図６に示すように、クローズキッチン（独立型）とすることができるものである。
【００２４】
すなわち、本実施形態によれば、キッチンのタイプを、フルオープンキッチン，セミオーブンキッチン及びクローズキッチンに容易に変更可能なものである。したがって、例えばダイニングに居る子供と会話をしながら調理することができると共に、来客時にはキッチンを隠すこともできるなど、生活に対応してキッチンの形式を使い分けすることができる。したがって、家族の変化，年令による使い方など種々の要望に対応可能である。
【００２５】
次に、図７を用いて第２の実施形態について説明するに、前述した実施形態における構成要素と同一機能を奏する構成要素には同一符号を付することとして、重複した説明は省略する。
【００２６】
この第２の実施形態においては、システムキッチンにおける前記載置台１７を省略して、システムキッチンをＬ形配置としてある。そして、前記第２の壁５の部分に第２の出入口５７を設け、かつこの出入口５７に、前記パネル４９Ａ，４９Ｂと同様のパネル５９を開閉自在に設けた構成である。
【００２７】
この第２の実施形態においても、図８，図９及び図１０に示すように、フルオープンキッチン，セミオーブンキッチン及びクローズキッチンの各種タイプのキッチンとして使用することができるものであり、前記第１の実施形態と同様の効果を奏し得るものである。
【００２８】
なお、図示は省略するが、第２の実施形態においても折り畳み自在なテーブル３３を備えているものである。
【図面の簡単な説明】
【００２９】
【図１】本発明の第１の実施形態に係るキッチン構造を示す平面説明図である。
【図２】折り畳み自在な、テーブルの説明図である。
【図３】パネルのロック装置の一例を示す説明図である。
【図４】天井を省略してフルオープンキッチンを示した斜視説明図である。
【図５】天井を省略してセミオーブンキッチンを示した斜視説明図である。
【図６】天井を省略してクローズキッチンを示した斜視説明図である。
【図７】第２の実施形態を示す平面説明図である。
【図８】天井を省略してフルオープンキッチンを示した斜視説明図である。
【図９】天井を省略してセミオーブンキッチンを示した斜視説明図である。
【図１０】天井を省略してクローズキッチンを示した斜視説明図である。
【符号の説明】
【００３０】
１    キッチン
３    第１の壁
５    第２の壁
７    ダイニング
９    第１の仕切壁
１１    第２の仕切壁
１３    流し台
１５    調理台
１９    冷蔵庫
２１    腰壁部
２９    仕切り部材
３３    テーブル
４９Ａ，４９Ｂ    パネル
【図１】
2005253766.tif 000003
【図２】
2005253766.tif 000004
【図３】
2005253766.tif 000005
【図４】
2005253766.tif 000006
【図５】
2005253766.tif 000007
【図６】
2005253766.tif 000008
【図７】
2005253766.tif 000009
【図８】
2005253766.tif 000010
【図９】
2005253766.tif 000011
【図１０】
2005253766.tif 000012